(57)【要約】【課題】複数種類の画質で撮像可能な電子撮像装置において、選択された画質に応じた適切な塵埃除去動作を行うことができる電子撮像装置を提供する。【解決手段】被写体の光学像を結像する撮影光学系１２ａと、撮影光学系１２ａにより結像された光学像を電気信号に変換する光電変換素子を含む撮像素子２７と、撮影光学系１２ａと撮像素子２７との間に配置され、撮像素子２７の光電変換面への塵埃等の付着を防止する防塵フィルタ２１と、防塵フィルタ２１を所定の周波数で振動させることにより防塵フィルタ２１に塵埃除去動作を行わせるマイクロコンピュータ１５０と、画質に関わる複数の記録モードを設定可能なカメラ操作ＳＷ１５２とを具備し、マイクロコンピュータ１５０は、高画質記録モードが設定されたときに、撮像素子２７による撮像動作に連動して防塵フィルタ２１を振動させて塵埃除去動作を行わせる。【選択図】    図２
2004264691.tif 000002
【特許請求の範囲】
【請求項１】
複数種類の画質で撮像可能な電子撮像装置であって、
被写体の光学像を結像する撮影光学系と、
上記撮影光学系により結像された光学像を電気信号に変換する光電変換素子を含む撮像手段と、
上記撮影光学系と上記光電変換手段との間に配置され、前記光電変換手段の光電変換面への塵埃等の付着を防止する光学素子と、
前記光学素子を所定の周波数で振動させることにより前記光学素子に塵埃除去動作を行わせる制御手段と、
画質に関わる複数の記録モードを設定可能な設定手段と、
を具備し、
上記制御手段は、上記設定手段により高画質記録モードが設定されたときに、上記撮像手段による撮像動作に連動して上記光学素子を振動させ、当該光学素子に塵埃除去動作を行わせることを特徴とする電子撮像装置。
【請求項２】
上記高画質記録モードは、画素数が多い記録モードであることを特徴とする請求項１記載の電子撮像装置。
【請求項３】
上記高画質記録モードは、画像圧縮率が低い記録モードであることを特徴とする請求項１記載の電子撮像装置。
【請求項４】
上記制御手段は、撮像動作に先立って上記光学素子を所定時間振動させることを特徴とする請求項１記載の電子撮像装置。
【請求項５】
複数種類の画質で撮像可能な電子撮像装置であって、
被写体の光学像を結像する撮影光学系と、
上記撮影光学系により結像された光学像を電気信号に変換する光電変換素子を含む撮像手段と、
上記撮影光学系と上記光電変換手段との間に配置され、前記光電変換手段の光電変換面への塵埃等の付着を防止する光学素子と、
前記光学素子を所定の周波数で振動させることにより前記光学素子に塵埃除去動作を行わせる制御手段と、
高画質の電子画像を取得するための第１の画像記録モードと、上記第１の画像記録モードより低画質の第２の画像記録モードとを選択的に設定可能な設定手段と、
を具備し、
上記制御手段は、上記設定手段により上記第１の画像記録モードが設定されたときに、上記撮像手段による撮像動作に連動して上記光学素子を振動させ、当該光学素子に塵埃除去動作を行わせることを特徴とする電子撮像装置。
【請求項６】
上記第１の画像記録モードは、上記第２の画像記録モードに比べて上記撮像手段で取得した画像の画素数が多いことを特徴とする請求項５記載の電子撮像装置。
【請求項７】
上記第１の画像記録モードは、上記第２の画像記録モードに比べて上記撮像手段で取得した画像の圧縮率が低いことを特徴とする請求項５記載の電子撮像装置。
【請求項８】
複数種類の画質で撮像可能な電子撮像装置であって、
被写体の光学像を結像する撮影光学系と、
上記撮影光学系により結像された光学像を電気信号に変換する光電変換素子を含む撮像手段と、
上記撮影光学系と上記光電変換手段との間に配置され、前記光電変換手段の光電変換面への塵埃等の付着を防止する光学素子と、
前記光学素子を所定の周波数で振動させることにより前記光学素子に塵埃除去動作を行わせる制御手段と、
高画質の電子画像を取得するための第１の画像記録モードと、上記第１の画像記録モードより低画質の第２の画像記録モードとを設定可能な設定手段と、
を具備し、
上記制御手段は、上記設定手段で上記第１の画像記録モードが設定された場合には上記光学素子の塵埃除去動作を許可し、上記第２の画像記録モードが設定された場合には上記光学素子の塵埃除去動作を禁止することを特徴とする電子撮像装置。
【請求項９】
複数種類の画質で撮像可能な電子撮像装置であって、
被写体の光学像を結像する撮影光学系と、
上記撮影光学系により結像された光学像を電気信号に変換する光電変換素子を含む撮像手段と、
上記撮影光学系と上記光電変換手段との間に配置され、前記光電変換手段の光電変換面への塵埃等の付着を防止する光学素子と、
前記光学素子を所定の周波数で振動させることにより前記光学素子に塵埃除去動作を行わせる制御手段と、
画質に関わる複数の記録モードを設定可能な設定手段と、
を具備し、
上記制御手段は、上記設定手段により設定された記録モードに応じて、上記光学素子の塵埃除去動作の形態を変更することを特徴とする電子撮像装置。
【請求項１０】
上記制御手段は、上記設定手段によって設定された記録モードに応じて、上記光学素子の塵埃除去動作の時間を変更することを特徴とする請求項９に記載の電子撮像装置。
【請求項１１】
上記制御手段は、上記設定手段で第１の記録モードが設定された場合には上記塵除去手段の動作時間を第１の時間とし、前記第１の記録モードよりも高画質である第２の記録モードが設定された場合には上記第１の時間よりも長い第２の時間とすることを特徴とする請求項１０に記載の電子撮像装置。
【請求項１２】
上記制御手段は、上記設定手段によって設定された記録モードに応じて、上記塵除去手段の動作の実行を許可または禁止することを特徴とする請求項９に記載の電子撮像装置。
【発明の詳細な説明】
【０００１】
【発明の属する技術分野】
本発明は電子撮像装置に関し、特に、例えばカメラシステムなどの構成部材に付着した塵埃を除去可能な防塵機能付きの電子撮像装置に関する。
【０００２】
【従来の技術】
従来、電子撮像装置に用いられる光学装置の防塵機能に関する技術の一例として、撮像素子を保護する保護ガラス（防塵ガラス）を振動させることで、その防塵ガラスに付着した塵埃を払い落とすという技術が提案されている。例えば、特開２００２−２０４３７９号に開示されたものがあり、これには、防塵ガラスを振動させる手段として圧電素子が用いられている。この圧電素子は印加される電圧に反応して伸縮して、取り付けられた防塵ガラスを所定の１つの周期で加振するものである。
【０００３】
【発明が解決しようとする課題】
ところで、電子撮像装置にはさまざまな画質（記録画素数、画像の圧縮率等）で撮影が可能な動作モードが存在している。ユーザは、プリント用、パーソナルコンピュータでの加工用、ホームページ用といった用途に合わせて所望の画質で撮影動作を実行することができる。ユーザは、防塵ガラスの塵埃を除去することで高画質の画像データを入手できる。
【０００４】
しかしながら、ユーザが塵埃の影響をほとんど受けない低い画質を選択した場合には塵埃除去動作は無駄な動作となる。特定の撮影状況においてユーザは画質を落としてでも撮影枚数を確保しようとする。このような状況で撮影動作毎に塵埃除去動作を行うことは好ましくない。塵埃除去動作に伴いカメラシステムへ電力を供給する電池の電気エネルギを奪い、ユーザが希望する枚数の撮影が出来なくなるからである。
【０００５】
また他の状況においてユーザは画質を落としてでも連写撮影の時間を短縮しようとすることがある。記録画素数を減らすことで画像データを記録するメディアへのアクセス時間が短縮する。このような状況での塵埃除去動作はレリーズタイムラグの増大を招く。結果として連写速度は遅くなりユーザの意図は達成されない。
【０００６】
本発明はこのような課題に着目してなされたものであり、その目的とするところは、複数種類の画質で撮像可能な電子撮像装置において、選択された画質に応じた適切な塵埃除去動作を行うことができる電子撮像装置を提供することにある。
【０００７】
【課題を解決するための手段】
上記の目的を達成するために、第１の発明は、複数種類の画質で撮像可能な電子撮像装置であって、被写体の光学像を結像する撮影光学系と、上記撮影光学系により結像された光学像を電気信号に変換する光電変換素子を含む撮像手段と、上記撮影光学系と上記光電変換手段との間に配置され、前記光電変換手段の光電変換面への塵埃等の付着を防止する光学素子と、前記光学素子を所定の周波数で振動させることにより前記光学素子に塵埃除去動作を行わせる制御手段と、画質に関わる複数の記録モードを設定可能な設定手段とを具備し、上記制御手段は、上記設定手段により高画質記録モードが設定されたときに、上記撮像手段による撮像動作に連動して上記光学素子を振動させ、当該光学素子に塵埃除去動作を行わせる。
【０００８】
また、第２の発明は、第１の発明に係る電子撮像装置において、上記高画質記録モードは、画素数が多い記録モードである。
【０００９】
また、第３の発明は、第１の発明に係る電子撮像装置において、上記高画質記録モードは、画像圧縮率が低い記録モードである。
【００１０】
また、第４の発明は、第１の発明に係る電子撮像装置において、上記制御手段は、撮像動作に先立って上記光学素子を所定時間振動させる。
【００１１】
また、第５の発明は、複数種類の画質で撮像可能な電子撮像装置であって、被写体の光学像を結像する撮影光学系と、上記撮影光学系により結像された光学像を電気信号に変換する光電変換素子を含む撮像手段と、上記撮影光学系と上記光電変換手段との間に配置され、前記光電変換手段の光電変換面への塵埃等の付着を防止する光学素子と、前記光学素子を所定の周波数で振動させることにより前記光学素子に塵埃除去動作を行わせる制御手段と、高画質の電子画像を取得するための第１の画像記録モードと、上記第１の画像記録モードより低画質の第２の画像記録モードとを選択的に設定可能な設定手段と、を具備し、上記制御手段は、上記設定手段により上記第１の画像記録モードが設定されたときに、上記撮像手段による撮像動作に連動して上記光学素子を振動させ、当該光学素子に塵埃除去動作を行わせる。
【００１２】
また、第６の発明は、第５の発明に係る電子撮像装置において、上記第１の画像記録モードは、上記第２の画像記録モードに比べて上記撮像手段で取得した画像の画素数が多い。
【００１３】
また、第７の発明は、第５の発明に係る電子撮像装置において、上記第１の画像記録モードは、上記第２の画像記録モードに比べて上記撮像手段で取得した画像の圧縮率が低い。
【００１４】
また、第８の発明は、複数種類の画質で撮像可能な電子撮像装置であって、被写体の光学像を結像する撮影光学系と、上記撮影光学系により結像された光学像を電気信号に変換する光電変換素子を含む撮像手段と、上記撮影光学系と上記光電変換手段との間に配置され、前記光電変換手段の光電変換面への塵埃等の付着を防止する光学素子と、前記光学素子を所定の周波数で振動させることにより前記光学素子に塵埃除去動作を行わせる制御手段と、高画質の電子画像を取得するための第１の画像記録モードと、上記第１の画像記録モードより低画質の第２の画像記録モードとを設定可能な設定手段と、を具備し、上記制御手段は、上記設定手段で上記第１の画像記録モードが設定された場合には上記光学素子の塵埃除去動作を許可し、上記第２の画像記録モードが設定された場合には上記光学素子の塵埃除去動作を禁止する。
【００１５】
また、第９の発明は、複数種類の画質で撮像可能な電子撮像装置であって、被写体の光学像を結像する撮影光学系と、上記撮影光学系により結像された光学像を電気信号に変換する光電変換素子を含む撮像手段と、上記撮影光学系と上記光電変換手段との間に配置され、前記光電変換手段の光電変換面への塵埃等の付着を防止する光学素子と、前記光学素子を所定の周波数で振動させることにより前記光学素子に塵埃除去動作を行わせる制御手段と、画質に関わる複数の記録モードを設定可能な設定手段と、を具備し、上記制御手段は、上記設定手段により設定された記録モードに応じて、上記光学素子の塵埃除去動作の形態を変更する。
【００１６】
また、第１０の発明は、第９の発明に係る電子撮像装置において、上記制御手段は、上記設定手段によって設定された記録モードに応じて、上記光学素子の塵埃除去動作の時間を変更する。
【００１７】
また、第１１の発明は、第１０の発明に係る電子撮像装置において、上記制御手段は、上記設定手段で第１の記録モードが設定された場合には上記塵除去手段の動作時間を第１の時間とし、前記第１の記録モードよりも高画質である第２の記録モードが設定された場合には上記第１の時間よりも長い第２の時間とする。
【００１８】
また、第１２の発明は、第９の発明に係る電子撮像装置において、上記制御手段は、上記設定手段によって設定された記録モードに応じて、上記塵除去手段の動作の実行を許可または禁止する。
【００１９】
【発明の実施の形態】
以下、図面を参照して本発明の実施の形態について説明する。
【００２０】
図１は、本発明をデジタルカメラに適用した場合の実施形態の概略的な構成を示す一部切り欠き斜視図である。
【００２１】
すなわち、図１は、カメラ本体の一部を切断して、その内部構成を概略的に示す斜視図である。
【００２２】
本実施形態のカメラ１は、それぞれが別体に構成されるカメラ本体部１１及びレンズユニット１２とからなり、このカメラ本体部１１及びレンズユニット１２の両者は、互いに着脱自在に構成されてなるものである。
【００２３】
そして、レンズユニット１２は、複数のレンズやその駆動機構等からなる撮影光学系１２ａを内部に保持して構成されている。
【００２４】
この撮影光学系１２ａは、被写体からの光束を透過させることによって、当該被写光束により形成される被写体の像を所定の位置（後述する撮像素子の光電変換面上）に結像せしめるように、例えば、複数の光学レンズ等によって構成されるものである。
【００２５】
このレンズユニット１２は、カメラ本体部１１の前面に向けて突出するように配設されている。また、カメラ本体部１１は、内部に各種の構成部材等を備えて構成され、かつ撮影光学系１２ａを保持するレンズユニット１２を着脱自在となるように配設するための連結部材である撮影光学系装着部１１ａをその前面に備えて構成されてなるいわゆる一眼レフレックス方式のカメラである。
【００２６】
つまり、カメラ本体部１１の前面側の略中央部には、被写体光束を当該カメラ本体部１１の内部へと導き得る所定の口径を有する露光用開口が形成されており、この露光用開口の周縁部に撮影光学系装着部１１ａが形成されている。
【００２７】
そして、このカメラ本体部１１の前面に上述の撮影光学系装着部１１ａが配設されているほか、上面部や背面部等の所定の位置にカメラ本体部１１を動作させるための各種の操作部材、例えば、撮影動作を開始せしめるための指示信号等を発生させるためのレリーズボタン１７等が配設されている。
【００２８】
このカメラ本体部１１の内部には、各種の構成部材、例えば、いわゆる観察光学系を構成するファインダ装置１３と、撮像素子の光電変換面への被写体光束の照射時間等を制御するシャッタ機構等を備えたシャッタ１４と、被写体像に対応した画像信号を得る不図示の撮像素子及びこの撮像素子の光電変換面の前面側の所定の位置に配設され、当該光電変換面への塵挨等の付着を予防する防塵部材である防塵フィルタ（防塵ガラスともいう）２１等を含む撮像ユニット１５と、電気回路を構成する各種の電気部材が実装される主回路基板１６を始めとした複数の回路基板（主回路基板１６のみを図示している）等が、それぞれ所定の位置に配設されている。
【００２９】
ファインダ装置１３は、撮影光学系１２ａを透過した被写体光束の光軸を折り曲げて観察光学系の側へと導き得るように構成されるクイックリターンミラー１３ｂと、このクイックリターンミラー１３ｂから出射する光束を受けて正立正像を形成するペンタプリズム１３ａと、このペンタプリズム１３ａにより形成される像を拡大して観察するのに最適な形態の像を結像させる接眼レンズ１３ｃ等によって構成されている。
【００３０】
クイックリターンミラー１３ｂは、撮影光学系１２ａの光軸から退避する位置と当該光軸上の所定の位置との間で移動自在に構成され、通常状態においては、撮影光学系１２ａの光軸上において当該光軸に対して所定の角度、例えば、角度４５度を有して配置されている。
【００３１】
これにより、撮影光学系１２ａを透過した被写体光束は、当該カメラ１が通常状態にあるときには、クイックリターンミラー１３ｂによってその光軸が折り曲げられて、当該クイックリターンミラー１３ｂの上方に配置されるペンタプリズム１３ａの側へと反射されるようになっている。
【００３２】
一方、本カメラ１が撮影動作の実行中においては、当該クイックリターンミラー１３ｂは撮影光学系１２ａの光軸から退避する所定の位置に移動するようになっており、これによって、被写体光束は、撮像素子側へと導かれる。
【００３３】
また、シャッタ１４は、例えば、フォーカルプレーン方式のシャッタ機構やその駆動回路等、従来のカメラ等において一般的に利用されているものと同様のものが適用される。
【００３４】
図２は、本発明の一実施形態に係るカメラのシステム構成を示すブロック図である。
【００３５】
すなわち、この実施の形態のカメラシステムは、カメラ本体１１と、交換レンズとしてのレンズユニット１２とから主に構成されており、カメラ本体１１の前面に対して所望のレンズユニット１２が着脱自在に装着されている。
【００３６】
レンズユニット１２の制御は、レンズ制御用マイクロコンピュータ（以下、Ｌｕｃｏｍと称する）２０５が行う。
【００３７】
カメラ本体１１の制御は、ボディ制御用マイクロコンピュータ（以下、Ｂｕｃｏｍと称する）１５０が行う。
【００３８】
なお、これらＬｕｃｏｍ２０５とＢｕｃｏｍ１５０とは、合体時において通信コネクタ２０６を介して通信可能に電気的接続がなされる。
【００３９】
そして、この場合、カメラシステムとしてＬｕｃｏｍ２０５がＢｕｃｏｍ１５０に従属的に協働しながら稼動するようになっている。
【００４０】
また、レンズユニット１２内には、撮影光学系１２ａと、絞り２０３とが設けられている。
【００４１】
この撮影光学系１２ａは、レンズ駆動機構２０２内に在る図示しないＤＣモータによって駆動される。
【００４２】
また、絞り２０３は、絞り駆動機構２０４内に在る図示しないステッピングモータによって駆動される。
【００４３】
Ｌｕｃｏｍ２０５は、Ｂｕｃｏｍ１５０からの指令に従って、これらの各モータを制御する。
【００４４】
そして、このカメラ本体１１内には、次の構成部材が図示のように配設されている。
【００４５】
例えば、光学系としての一眼レフレックス方式の構成部材（ペンタプリズム１３ａ、クイックリターンミラー１３ｂ、接眼レンズ１３ｃ、サブミラー１１４）と、光軸上のフォーカルプレーン式のシャッタ１１５と、上記サブミラー１１４からの反射光束を受けて自動測距するためのＡＦセンサユニット１１６とが設けられている。
【００４６】
また、上記ＡＦセンサユニット１１６を駆動制御するＡＦセンサ駆動回路１１７と、上記クイックリターンミラー１３ｂを駆動制御するミラー駆動機構１１８と、上記シャッタ１１５の先幕と後幕を駆動するためのばね力をチャージするシャッタチャージ機構１１９と、それら先幕と後幕の動きを制御するシャッタ制御回路１２０と、上記ペンタプリズム１３ａからの光束に基づき測光処理する測光回路１２１とが設けられている。
【００４７】
光軸上には、上記光学系を通過した被写体像を光電変換するための撮像素子２７が光電変換素子として設けられている。
【００４８】
この場合、この撮像素子２７は、該撮像素子２７と撮影光学系１２ａとの間に配設された光学素子としての透明なガラス部材でなる防塵フィルタ２１によって保護されている。
【００４９】
そして、この防塵フィルタ２１を所定の周波数で振動させる加振手段の一部として、例えば、圧電素子２２がその防塵フィルタ２１の周縁部に取り付けられている。
【００５０】
また、圧電素子２２は２つの電極を有しており、この圧電素子２２が加振手段の一部としての防塵フィルタ駆動回路１４０によって防塵フィルタ２１を振動させ、そのガラス表面に付着していた塵埃を除去できるように構成されている。
【００５１】
なお、撮像素子２７の周辺の温度を測定するために、防塵フィルタ２１の近傍には、温度測定回路１３３が設けられている。
【００５２】
このカメラシステムには、また、撮像素子２７に接続されたインターフェース回路１２３と、液晶モニタ１２４と、記憶領域として設けられたＳＤＲＡＭ１２５と、ＦｌａｓｈＲＯＭ１２６及び記録メディア１２７などを利用して画像処理する画像処理コントローラ１２８とが設けられ、電子撮像機能と共に電子記録表示機能を提供できるように構成されている。
【００５３】
その他の記憶領域としては、カメラ制御に必要な所定の制御パラメータを記憶する不揮発性記憶手段として、例えば、ＥＥＰＲＯＭからなる不揮発性メモリ１２９が、Ｂｕｃｏｍ１５０からアクセス可能に設けられている。
【００５４】
また、Ｂｕｃｏｍ１５０には、当該カメラの動作状態を表示出力によってユーザへ告知するための動作表示用ＬＣＤ１５１と、カメラ操作スイッチ（ＳＷ）１５２とが設けられている。
【００５５】
上記カメラ操作ＳＷ１５２は、例えば、レリーズＳＷ、モード変更ＳＷ及びパワーＳＷなどの、当該カメラを操作するために必要な操作釦を含むスイッチ群である。
【００５６】
さらに、電源としての電池１５４と、この電源の電圧を、当該カメラシステムを構成する各回路ユニットが必要とする電圧に変換して供給する電源回路１５３が設けられている。
【００５７】
次に、上述したように構成されるカメラシステムの動作について説明する。まず、画像処理コントローラ１２８は、Ｂｕｃｏｍ１５０の指令に従ってインターフェース回路１２３を制御して撮像素子２７から画像データを取り込む。
【００５８】
この画像データは，画像処理コントローラ１２８でビデオ信号に変換され、液晶モニタ１２４にて出力表示される。
【００５９】
ユーザは、この液晶モニタ１２４の表示画像から、撮影した画像イメージを確認することができる。
【００６０】
ＳＤＲＡＭ１２５は、画像データの一時的保管用メモリであり、画像データが変換される際のワークエリアなどに使用される。
【００６１】
また、この画像データはＪＰＥＧデータに変換された後には記録メディア１２７に保管されるように設定されている。
【００６２】
撮像素子２７は、前述したように透明なガラス部材でなる防塵フィルタ２１によって保護されている。
【００６３】
この防塵フィルタ２１の周縁部にはそのガラス面を加振するための圧電素子２２が配置されており、この圧電素子２２は、後で詳しく説明するように、該圧電素子２２の駆動手段としても働く防塵フィルタ駆動回路１４０によって駆動される。
【００６４】
撮像素子２７及び圧電素子２２は、防塵フィルタ２１を一面とし、かつ破線で示すような枠体によって囲まれたケース内に一体的に収納されることが、防塵のためにはより好ましい。
【００６５】
通常、温度はガラス製の物材の弾性係数に影響し、その固有振動数を変化させる要因の１つであるため、運用時にその温度を計測してその固有振動数の変化を考慮しなければならない。
【００６６】
稼動中に温度上昇が激しい撮像素子２７の前面を保護するため設けられた防塵フィルタ２１の温度変化を測定して、そのときの固有振動数を予想するようにしたほうがよい。
【００６７】
したがって、この例の場合、上記温度測定回路１３３に接続されたセンサ（不図示）が、撮像素子２７の周辺温度を測定するため設けられている。
【００６８】
なお、そのセンサの温度測定ポイントは、防塵フィルタ２１の振動面の極近傍に設定されるのが好ましい。
【００６９】
ミラー駆動機構１１８は、クイックリターンミラー１３ｂをＵＰ位置とＤＯＷＮ位置へ駆動するための機構であり、このクイックリターンミラー１３ｂがＤＯＷＮ位置にあるとき、撮影光学系１２ａからの光束はＡＦセンサユニット１１６側とペンタプリズム１３ａ側へと分割されて導かれる。
【００７０】
ＡＦセンサユニット１１６内のＡＦセンサからの出力は、ＡＦセンサ駆動回路１１７を介してＢｕｃｏｍ１５０へ送信されて周知の測距処理が行われる。
【００７１】
また、ペンタプリズム１３ａに隣接する接眼レンズ１３ｃからはユーザが被写体を目視できる一方、このペンタプリズム１３ａを通過した光束の一部は測光回路１２１内のホトセンサ（不図示）へ導かれ、ここで検知された光量に基づき周知の測光処理が行われる。
【００７２】
次に、本実施形態のカメラ１における撮像ユニット１５の詳細について説明する。
【００７３】
図３、図４、図５は、本実施形態のカメラ１における撮像ユニット１５の一部を取り出して示す図であって、図３は、当該撮像ユニットを分解して示す要部分解斜視図である。
【００７４】
また、図４は、当該撮像ユニット組み立てた状態の一部を切断して示す斜視図であり、図５は、図４の切断面に沿う断面図である。
【００７５】
なお、本実施形態のカメラ１の撮像ユニット１５は、上述したようにシャッタ１４を含む複数の部材によって構成されるユニットであるが、図３乃至図５においては、その主要部を図示するに留め、シャッタ１４についての図示を省略している。
【００７６】
また、各構成部材の位置関係を示すために、図３乃至図５においては、当該撮像ユニット１５の近傍に設けられ、撮像素子２７が実装されると共に、画像信号処理回路及びワークメモリ等からなる撮像系の電気回路が実装される主回路基板１６を合わせて図示している。
【００７７】
なお、この主回路基板１６、それ自体の詳細については、従来のカメラ等において、一般的に利用されているものが適用されるものとして、その説明は省略する。
【００７８】
撮像ユニット１５は、ＣＣＤ等からなり撮影光学系１２ａを透過し自己の光電変換面上に照射された光に対応した画像信号を得る撮像素子２７と、この撮像素子２７を固定支持する薄板状の部材からなる撮像素子固定板２８と、撮像素子２７の光電変換面の側に配設され、撮影光学系１２ａを透過して照射される被写体光束から高周波成分を取り除くべく形成される光学素子である光学的ローパスフィルタ（Ｌｏｗ  Ｐａｓｓ  Ｆｉｌｔｅｒ；以下、光学ＬＰＦという）２５と、この光学ＬＰＦ２５と撮像素子２７との間の周縁部に配置され、略枠形状の弾性部材等によって形成されるローパスフィルタ受け部材２６と、撮像素子２７を収納し固定保持すると共に光学ＬＰＦ２５（光学素子）をその周縁部位乃至その近傍部位に密着して支持し、かつ所定の部位を後述する防塵フィルタ受け部材２３に密に接触するように配設される撮像素子収納ケース部材２４（以下、ＣＣＤケース２４という）と、このＣＣＤケース２４の前面側に配置され防塵フィルタ２１をその周縁部位乃至その近傍部位に密着して支持する防塵フィルタ受け部材２３と、この防塵フィルタ受け部材２３によって支持されて撮像素子２７の光電変換面の側であって光学ＬＰＦ２５の前面側において当該光学ＬＰＦ２５の間に所定の間隔を持つ所定の位置に対向配置される防塵部材である防塵フィルタ２１と、この防塵フィルタ２１の周縁部に配設され当該防塵フィルタ２１に対して所定の振動を与えるための加振用部材であり、例えば、電気機械変換素子等からなる圧電素子２２と、防塵フィルタ２１を防塵フィルタ受け部材２３に対して気密に接合させ固定保持するための弾性体からなる押圧部材２０等によって構成されている。
【００７９】
撮像素子２７は、撮影光学系１２ａを透過した被写体光束を自己の光電変換面に受けて光電変換処理を行うことによって、当該光電変換面に形成される被写体像に対応した画像信号を取得するものであって、例えば、電荷結合素子（ＣＣＤ；Ｃｈａｒｇｅ  Ｃｏｕｐｌｅｄ  Ｄｅｖｉｃｅ）が用いられる。
【００８０】
この撮像素子２７は、撮像素子固定板２８を介して主回路基板１６上の所定の位置に実装されている。
【００８１】
この主回路基板１６には、上述したように画像信号処理回路及びワークメモリ等が共に実装されており、撮像素子２７から出力された信号は、これらの回路で処理されるようになっている。
【００８２】
撮像素子２７の前面側には、ローパスフィルタ受け部材２６を挟んで光学ＬＰＦ２５が配設されている。
【００８３】
そして、これらの撮像素子２７、ローパスフィルタ受け部材２６、光学ＬＰＦ２５を覆うようにＣＣＤケース２４が配設されている。
【００８４】
つまり、ＣＣＤケース２４には、略中央部分に矩形状からなる開口２４ｃが設けられており、この開口２４ｃには、その後方側から光学ＬＰＦ２５及び撮像素子２７が配設されるようになっている。
【００８５】
この開口２４ｃの後方側の内周縁部には、図４、図５に示すように断面が略Ｌ字形状からなる段部２４ａが形成されている。
【００８６】
上述したように、光学ＬＰＦ２５と撮像素子２７との間には、弾性部材等からなるローパスフィルタ受け部材２６が配設されている。
【００８７】
このローパスフィルタ受け部材２６は、撮像素子２７の前面側の周縁部においてその光電変換面の有効範囲を避ける位置に配設され、かつ光学ＬＰＦ２５の背面側の周縁部近傍に当接するようになっている。
【００８８】
そして、光学ＬＰＦ２５と撮像素子２７との間を略気密性が保持されるようにしている。
【００８９】
これにより、光学ＬＰＦ２５には、ローパスフィルタ受け部材２６による光軸方向への弾性力が働くことになる。
【００９０】
そこで、光学ＬＰＦ２５の前面側の周縁部を、ＣＣＤケース２４の段部２４ａに対して略気密に接触させるように配置することによって、当該光学ＬＰＦ２５をその光軸方向に変位させようとするローパスフィルタ受け部材２６による弾性力に抗して当該光学ＬＰＦ２５の光軸方向における位置を規制するようにしている。
【００９１】
換言すれば、ＣＣＤケース２４の開口２４ｃの内部に背面側より挿入された光学ＬＰＦ２５は、ＣＣＤケース２４の段部２４ａによって光軸方向における位置規制がなされている。
【００９２】
これにより、当該光学ＬＰＦ２５は、ＣＣＤケース２４の内部から前面側へ向けて外部に抜け出ないようになっている。
【００９３】
このようにして、ＣＣＤケース２４の開口２４ｃの内部に背面側から光学ＬＰＦ２５が挿入された後、光学ＬＰＦ２５の背面側には、撮像素子２７が配設されるようになっている。
【００９４】
この場合において、光学ＬＰＦ２５と撮像素子２７との間には、周縁部においてローパスフィルタ受け部材２６が挟持されるようになっている。
【００９５】
また、撮像素子２７は、上述したように撮像素子固定板２８を挟んで主回路基板１６に実装されている。
【００９６】
そして、撮像素子固定板２８は、ＣＣＤケース２４の背面側からネジ孔２４ｅに対してネジ２８ｂによってスペーサ２８ａを介して固定されている。
【００９７】
また、撮像素子固定板２８には、主回路基板１６がスペーサ１６ｃを介してネジ１６ｄによって固定されている。
【００９８】
ＣＣＤケース２４の前面側には、防塵フィルタ受け部材２３がＣＣＤケース２４のネジ孔２４ｂに対してネジ２３ｂによって固定されている。
【００９９】
この場合において、ＣＣＤケース２４の周縁側であって前面側の所定の位置には、図４、図５において詳細に示すように、周溝２４ｄが略環状に形成されている。
【０１００】
その一方で、防塵フィルタ受け部材２３の周縁側であって背面側の所定の位置には、ＣＣＤケース２４の周溝２４ｄに対応させた環状凸部２３ｄ（図３には図示せず）が全周にわたって略環状に形成されている。
【０１０１】
したがって、環状凸部２３ｄと周溝２４ｄとが嵌合することによりＣＣＤケース２４と防塵フィルタ受け部材２３とは、環状の領域、すなわち、周溝２４ｄと環状凸部２３ｄとが形成される領域において相互に略気密に嵌合するようになっている。
【０１０２】
防塵フィルタ２１は、全体として円形乃至多角形の板状をなし、少なくとも自己の中心から放射方向に所定の広がりを持つ領域が透明部をなしており、この透明部が光学ＬＰＦ２５の前面側に所定の間隔をもって対向配置されているものである。
【０１０３】
また、防塵フィルタ２１の一方の面（本実施形態では背面側）の周縁部には、当該防塵フィルタ２１に対して振動を与えるための所定の加振用部材であり、電気機械変換素子等によって形成される圧電素子２２が一体となるように、例えば、接着剤による貼着等の手段により配設されている。
【０１０４】
この圧電素子２２は、外部から所定の駆動電圧を印加することによって防塵フィルタ２１に所定の振動を発生させることができるように構成されている。
【０１０５】
そして、防塵フィルタ２１は、防塵フィルタ受け部材２３に対して気密に接合するように、板ばね等の弾性体からなる押圧部材２０によって固定保持されている。
【０１０６】
防塵フィルタ受け部材２３の略中央部近傍には、円形状又は多角形状からなる開口２３ｆが設けられている。
【０１０７】
この開口２３ｆは、撮影光学系１２ａを透過した被写体光束を通過させて、当該光束が、その後方に配置される撮像素子２７の光電変換面を照射するのに十分な大きさとなるように設定されている。
【０１０８】
この開口２３ｆの周縁部には、前面側に突出する壁部２３ｅ（図４、図５参照）が略環状に形成されており、この壁部２３ｅの先端側には、さらに前面側に向けて突出するように、受け部２３ｃが形成されている。
【０１０９】
一方、防塵フィルタ受け部材２３の前面側の外周縁部近傍には、所定の位置に複数（本実施形態では３箇所）の突状部２３ａが前面側に向けて突出するように形成されている。
【０１１０】
この突状部２３ａは、防塵フィルタ２１を固定保持する押圧部材２０を固設するために形成される部位であって、当該押圧部材２０は、突状部２３ａの先端部に対してねじ２０ａ等の締結手段により固設されている。
【０１１１】
押圧部材２０は、上述したように板ばね等の弾性体によって形成される部材であって、その基端部が突状部２３ａに固定され、自由端部が防塵フィルタ２１の外周縁部に当接することによって、当該防塵フィルタ２１を防塵フィルタ受け部材２３の側、すなわち、光軸方向に向けて押圧するようになっている。
【０１１２】
この場合において、防塵フィルタ２１の背面側の外周縁部に配設される圧電素子２２の所定の部位が、受け部２３ｃに当接することによって、防塵フィルタ２１及び圧電素子２２の光軸方向における位置が規制されるようになっている。
【０１１３】
これにより、防塵フィルタ２１は、圧電素子２２を介して防塵フィルタ受け部材２３に対して気密に接合するように固定保持されている。
【０１１４】
換言すれば、防塵フィルタ受け部材２３は、押圧部材２０による付勢力によって防塵フィルタ２１と圧電素子２２を介して気密に接合するように構成されている。
【０１１５】
ところで、上述したように防塵フィルタ受け部材２３とＣＣＤケース２４とは、周溝２４ｄと環状凸部２３ｄ（図４、図５参照）とが相互に略気密に嵌合するようになっているのと同時に、防塵フィルタ受け部材２３と防塵フィルタ２１とは、押圧部材２０の付勢力により圧電素子２２を介して気密に接合するようになっている。
【０１１６】
また、ＣＣＤケース２４に配設される光学ＬＰＦ２５は、当該光学ＬＰＦ２５の前面側の周縁部とＣＣＤケース２４の段部２４ａとの間で略気密となるように配設されている。
【０１１７】
さらに、光学ＬＰＦ２５の背面側には、撮像素子２７がローパスフィルタ受け部材２６を介して配設されており、光学ＬＰＦ２５と撮像素子２７との間においても、略気密性が保持されるようになっている。
【０１１８】
これにより、光学ＬＰＦ２５と防塵フィルタ２１とが対向する間の空間には、所定の空隙部５１ａが形成されている。
【０１１９】
また、光学ＬＰＦ２５の周縁側、すなわち、ＣＣＤケース２４と、防塵フィルタ受け部材２３と、防塵フィルタ２１とによって、空間部５１ｂが形成されている。
【０１２０】
この空間部５１ｂは、光学ＬＰＦ２５の外側に張り出すようにして形成されている封止された空間である（図４、図５参照）。
【０１２１】
また、この空間部５１ｂは、空隙部５１ａよりも広い空間となるように設定されている。
【０１２２】
そして、空隙部５１ａと空間部５１ｂとからなる空間は、上述した如くＣＣＤケース２４と防塵フィルタ受け部材２３と防塵フィルタ２１と光学ＬＰＦ２５とによって、略気密に封止される封止空間５１となっている。
【０１２３】
このように、本実施形態のカメラにおける撮像ユニット１５では、光学ＬＰＦ２５及び防塵フィルタ２１の周縁に形成され空隙部５１ａを含む略密閉された封止空間５１を形成する封止構造部が構成されている。
【０１２４】
そして、この封止構造部は、光学ＬＰＦ２５の周縁乃至その近傍から外側の位置に設けられるようになっている。
【０１２５】
さらに、本実施形態においては、防塵フィルタ２１をその周縁部位乃至その近傍部位に密着して支持する第１の部材である防塵フィルタ受け部材２３と、光学ＬＰＦ２５をその周縁部位乃至その近傍部位に密着して支持すると共に、自己の所定部位で防塵フィルタ受け部材２３と密に接触するように配設される第２の部材であるＣＣＤケース２４等によって、封止構造部が構成されている。
【０１２６】
上述のように構成された本実施形態のカメラにおいては、撮像素子２７の前面側の所定の位置に防塵フィルタ２１を対向配置し、撮像素子２７の光電変換面と防塵フィルタ２１との周縁に形成される封止空間５１を封止するように構成したことによって、撮像素子２７の光電変換面に塵挨等が付着するのを未然に予防している。
【０１２７】
そして、この場合においては、防塵フィルタ２１の前面側の露出面に付着する塵挨等については、当該防塵フィルタ２１の周縁部に一体となるように配設される圧電素子２２に周期電圧を印加して防塵フィルタ２１に対して所定の振動を与えることによって、除去することができるようになっている。
【０１２８】
図６は、本カメラ１における撮像ユニット１５のうち防塵フィルタ２１及びこれに一体に設けられる圧電素子２２のみを取り出して示す正面図である。
【０１２９】
また、図７、図８は、図６の圧電素子２２に対して駆動電圧を印加した際の防塵フィルタ２１及び圧電素子２２の状態変化を示し、図７は図６のＡ−Ａ線に沿う断面図、図８は図６のＢ−Ｂ線に沿う断面図である。
【０１３０】
ここで、例えば、圧電素子２２に負（マイナス；一）電圧を印加した場合には、防塵フィルタ２１は、図７、図８において実線で示すように変形する一方、圧電素子２２に正（プラス；＋）電圧を印加した場合には、防塵フィルタ２１は、同図において点線で示すように変形することになる。
【０１３１】
この場合において、図６乃至図８の参照符号２１ａで示すような振動の節の位置では、実質的に振幅は零になることから、この節２１ａに対応する部位に防塵フィルタ受け部材２３の受け部２３ｃを当接させるように設定する。
【０１３２】
これにより、防塵フィルタ２１の振動を阻害することなく、防塵フィルタ２１を効率的に支持し得ることになる。
【０１３３】
そして、この状態において、所定のときに防塵フィルタ駆動回路１４０を制御して、圧電素子２２に対して周期的な電圧を印加することによって、防塵フィルタ２１が振動し、当該防塵フィルタ２１の表面に付着した塵挨等は除去される。
【０１３４】
なお、このときの共振周波数は、防塵フィルタ２１の形状や板厚・材質等により決まるものである。
【０１３５】
上述の図６乃至図８に示す例では、１次の振動を発生させた場合を示しているが、これに限らず、高次の振動を発生させるようにしてもよい。
【０１３６】
図９は、上記した防塵フィルタ駆動回路１４０の具体的な回路図である。図１０は、図９の各部において発生される信号の波形を示す図である。
【０１３７】
防塵フィルタ駆動回路１４０は図９に例示の如く、Ｎ進カウンタ２４１と、１／２分周回路２４２と、インバータ２４３と、複数のＭＯＳトランジスタ（Ｑ００、Ｑ０１、Ｑ０２）２４４ａ、２４４ｂ、２４４ｃと、トランス２４５と、抵抗（Ｒ００）２４６とから構成されている。
【０１３８】
上記トランス２４５の１次側に接続されたトランジスタ（Ｑ０１）２４４ｂおよびトランジスタ（Ｑ０２）２４４ｃのＯＮ／ＯＦＦ切替え動作によって、トランス２４５の２次側に所定周期の信号（Ｓｉｇ４）が発生するように構成されており、この所定周期の信号に基づき圧電素子２２を駆動させ、防塵フィルタ２１を共振させるようになっている。
【０１３９】
Ｂｕｃｏｍ１５０は、制御ポートとして設けられた２つのＩＯポートＰ＿ＰｗＣｏｎｔ及びＤ＿ＮＣｎｔと、このＢｕｃｏｍ１５０内部に存在するクロックジェネレータ２５５を介して防塵フィルタ駆動回路１４０を次のように制御する。クロックジェネレータ２５５は、圧電素子２２へ印加する信号周波数より十分に早い周波数でパルス信号（基本クロック信号）をＮ進カウンタ２４１へ出力する。
【０１４０】
この出力信号が図１０中のタイムチャートが表わす波形の信号Ｓｉｇ１である。そしてこの基本クロック信号はＮ進カウンタ２４１へ入力される。
【０１４１】
Ｎ進カウンタ２４１は、当該パルス信号をカウントし所定の値“Ｎ”に達する毎にカウント終了パルス信号を出力する。即ち、基本クロック信号を１／Ｎに分周することになる。この出力信号が図１０中のタイムチャートが表わす波形の信号Ｓｉｇ２である。
【０１４２】
この分周されたパルス信号はＨｉｇｈとＬｏｗのデューティ比が１：１ではない。そこで、１／２分周回路２４２を通してデューティ比を１：１へ変換する。尚、この変換されたパルス信号は図１０中のタイムチャートが表わす波形の信号Ｓｉｇ３に対応する。
【０１４３】
この変換されたパルス信号のＨｉｇｈ状態において、この信号が入力されたＭＯＳトランジスタ（Ｑ０１）２４４ｂがＯＮする。一方、トランジスタ（Ｑ０２）２４４ｃへはインバータ２４３を経由してこのパルス信号が印加される。したがって、パルス信号のＬｏｗ状態において、この信号が入力されたトランジスタ（Ｑ０２）２４４ｃがＯＮする。トランス２４５の１次側に接続されたトランジスタ（Ｑ０１）２４４ｂとトランジスタ（Ｑ０２）２４４ｃが交互にＯＮすると、２次側には図１０中の信号Ｓｉｇ４の如き周期の信号が発生する。
【０１４４】
トランス２４５の巻き線比は、電源回路１５３のユニットの出力電圧と圧電素子２２の駆動に必要な電圧から決定される。尚、抵抗（Ｒ００）２４６はトランス２４５に過大な電流が流れることを制限するために設けられている。
【０１４５】
圧電素子２２を駆動するに際しては、トランジスタ（Ｑ００）２４４ａがＯＮ状態にあり、電源回路１５３からトランス２４５のセンタータップに電圧が印加されていなければならない。図中トランジスタ（Ｑ００）２４４ａのＯＮ／Ｏ制御はＩＯポートのＰ＿ＰｗＣｏｎｔを介して行われる。Ｎ進カウンタ２４１の設定値“Ｎ”はＩＯポートＤ＿ＮＣｎｔから設定でき、よって、Ｂｕｃｏｍ１５０は、設定値“Ｎ”を適宜に制御することで、圧電素子２２の駆動周波数を任意に変更可能である。
【０１４６】
ここで、上記駆動周波数は次式によって算出可能である。
【０１４７】
ｆｄｒｖ  ＝  ｆｐｌｓ／２Ｎ    …（式１）
ここで、Ｎ：カウンタへの設定値、
ｆｐｌｓ：クロックジェネレータの出力パルスの周波数、
ｆｄｒｖ：圧電素子へ印加される信号の周波数、
尚、この式１に基づいた演算は、Ｂｕｃｏｍ１５０のＣＰＵ（制御手段）で行われる。
【０１４８】
（第１実施形態）
図１１は、本発明の第１実施形態に係るカメラシステムにおけるＢｕｃｏｍ１５０の動作を説明するためのフローチャートである。
【０１４９】
Ｂｕｃｏｍ１５０は、カメラの電源ＳＷがＯＮ操作されると、その稼動を開始する。ステップＳ１００において、当該カメラシステムを起動するための処理が実行される。電源回路１５３を制御して当該カメラシステムを構成する各回路ユニットへ電力を供給する。また各回路の初期設定を行う。
【０１５０】
ステップＳ１０１では、カメラに対するレンズユニット１２の着脱を検出するためのステップである。レンズユニット１２が、カメラ本体１１に装着されたことを検出する着脱検出動作は、周期的にＬｕｃｏｍ２０５と通信を行うことでレンズユニット１２の着脱状態を調べる。ステップＳ１０２でレンズユニット１２がカメラ本体１１に装着されたか否かを判断し、レンズユニット１２がカメラ本体１１に装着されたことを検出すると、ステップＳ１０２からステップＳ１０３へ移行して塵埃除去動作が実行される。ステップＳ１０３では防塵フィルタ２１に設けられた圧電素子２２を共振周波数（ｆ０）で所定時間（Ｔ０）加振する。圧電素子２２を加振するためにＮ進カウンタ２４１に設定される値は不揮発性メモリ１２９に記憶されている。防塵フィルタ２１に付着した塵埃を除去するために防塵フィルタ２１を加振する時間（Ｔ０）も不揮発性メモリ１２９に記憶されている。これらのデータに基づいて塵埃除去動作が実行される。レンズユニット１２の交換時にはカメラマウント部が外部に露出して、ミラーボックス内へ外部の空気が流れ込む。このとき塵埃が入り込み防塵フィルタ２１に付着する。したがって駆動時間（Ｔ０）としては十分な長さが必要になる。ステップＳ１０３の実行の後はステップＳ１０１へ戻る。
【０１５１】
一方、ステップＳ１０２でレンズユニット１２のカメラ本体１１への装着が検出されないならばステップＳ１０２からステップＳ１０４に移行する。ステップＳ１０４は、カメラ操作ＳＷ１５２の状態を周期的に監視する動作ステップである。ステップＳ１０５でカメラ操作ＳＷ１５２の１つである画質モード選択ＳＷが操作されたか否かを判断し、画質モード選択ＳＷが操作されたことが検出された場合にはステップＳ１０５からステップＳ１０６へ移行する。
【０１５２】
ステップＳ１０６では画質モード選択ＳＷを操作することで、静止画撮影における４種類の画質モードの選択動作と動画撮影の選択動作を実行できる。この４種類の画質モードにＬＡＷ、ＳＨＱ、ＨＱ、ＳＱの名称を付け、動画撮影にはＭＯＶＩＥの名称を付ける。
【０１５３】
このうちＬＡＷモードでは、撮像素子２７から読み出したイメージデータに対して画素数変換や圧縮処理を行うことなく記録する。したがってＬＡＷモードは、４つのモードの中でもっとも情報量が大きい。
【０１５４】
ＳＨＱモード及びＨＱモードでは、電子撮像装置に備えられている撮像素子２７の全ての画素数を減らすことなく記録するモードである。ただし圧縮率に違いがあり、ＳＨＱモードは画像データのデータ量を１／３程度にデータ圧縮するのに対して、ＨＱモードは画像データのデータ量を１／８程度にデータ圧縮したものを記録する。このデータ圧縮率の違いにより、ＳＨＱモードによる記録画像の画質はＨＱモードによる記録画像よりも良好である。ＳＱモードでは画素数変換により画素数を減らした後、圧縮動作が行われる。したがって画質の良さはＬＡＷ、ＳＨＱ、ＨＱ、ＳＱの順番となる。情報量の大きさもＬＡＷ、ＳＨＱ、ＨＱ、ＳＱの順番となる。
【０１５５】
ＭＯＶＩＥモードでは動画撮影を行うために情報量が増える。したがって静止画に比べて大幅に画素数が減らされている。画質は静止画モードに比べて遙かに悪い。
【０１５６】
画質モード選択ＳＷが一回操作されるごとに画質モード情報は図１２に示すごとく変化する。例えば画質モード情報にＳＨＱが設定されていると仮定する。この状態で画質モード選択ＳＷを操作すれば画質モード情報としてＨＱが設定される。ステップＳ１０６の実行の後はステップＳ１０１へ戻る。
【０１５７】
一方、ステップＳ１０５で画質モード選択ＳＷが操作されない場合にはただちにステップＳ１０７に移行する。ステップＳ１０７ではカメラ操作ＳＷ１５２の１つである１ｓｔレリーズＳＷの操作状態を判定する。１ｓｔレリーズＳＷの操作がなされているときはステップＳ１０８へ移行し操作がない時はステップＳ１０１へ戻る。
【０１５８】
ステップＳ１０８では測光回路１２１から被写体の輝度情報を入手する。そしてこの情報から撮像素子２７の露光時間（Ｔｖ値）とレンズユニット１２の絞り設定値（Ａｖ値）を算出する。
【０１５９】
ステップＳ１０９では、ＡＦセンサ駆動回路１１７を経由してＡＦセンサユニット１１６の検知データを入手する。このデータに基づきピントのズレ量を算出する。
【０１６０】
ステップＳ１１０では、その算出されたズレ量が許可された範囲内にあるか否かを判定し、否の場合はステップＳ１１１で撮影光学系１２ａにおける撮影レンズの駆動制御を行い、ステップＳ１０１へ戻る。
【０１６１】
一方、ステップＳ１１０で算出されたズレ量が許可された範囲内に在る場合には、ステップＳ１１２へ移行する。ステップＳ１１２ではカメラ操作ＳＷ１５２の１つである２ｎｄレリーズＳＷの操作状態を判定する。２ｎｄレリーズＳＷの操作がなされているときはステップＳ１１３へ移行し、操作がない時はステップＳ１０１へ移行する。
【０１６２】
ステップＳ１１３ではステップＳ１０８で算出されたＡｖ値に基づき撮影光学系１２ａにおける撮影レンズの絞りが制御される。ステップＳ１１４ではクイックリターンミラー１３ｂをＵＰ位置へ駆動する。クイックリターンミラー１３ｂが駆動されるとミラーボックス内の空気が攪拌され防塵フィルタ２１に塵埃が付着する可能性が高いので、ミラーＵＰ後に塵埃除去動作を行う。
【０１６３】
次にステップＳ１１５では画質モード情報に基づいて何れのモードが設定されているかを判定する。画質モード情報としてＬＡＷもしくはＳＨＱが設定されているときにはステップＳ１１５からステップＳ１１６へ移行する。
【０１６４】
ＬＡＷ、ＳＨＱにおいては高い画質が求められる。したがって防塵フィルタ２１に塵埃が付着することは許されず、ここでは塵埃を確実に除去しなければならない。そこでステップＳ１１６ではステップＳ１０３と同じ条件で除去動作を実行する。そしてステップＳ１１８に移行する。
【０１６５】
また、ステップＳ１１５において画質モード情報としてＨＱが設定されているときにはステップＳ１１５からステップＳ１１７へ移行する。ステップＳ１１７では周波数（ｆ０）で所定時間（Ｔ１）の間、防塵フィルタ２１を加振する。ここでの駆動周波数はステップＳ１１６と同じｆ０であるが駆動時間は異なる。ＨＱはＬＡＷ、ＳＨＱに比べて画質が劣る。したがってＬＡＷ、ＳＨＱと同じレベルの塵埃除去動作を行う必要は無い。したがって動作時間は短くてよい。すなわちＴ０＞Ｔ１である。短くすることで消費電力およびレリーズタイムラグを減少できる。この駆動時間は不揮発性メモリ２９に記憶されている。ステップＳ１１７の実行の後はステップＳ１１８に移行する。
【０１６６】
また、ステップＳ１１５において画質モード情報としてＳＱもしくはＭＯＶＩＥが設定されているときにはただちにステップＳ１１５からステップＳ１１８へ移行する。
【０１６７】
ステップＳ１１８ではシャッタ１４をＯＰＥＮに制御する。ステップＳ１１９では、静止画撮影動作においてはステップＳ１０８で算出されたＴｖ値に基づき撮像素子２７を露光する。動画撮影動作が選択されているときは撮像素子２７から所定時間、動画データを取り込む。ステップＳ１２０ではシャッタ１４をＣＬＯＳＥ制御する。ステップＳ１２１ではクイックリターンミラー１３ｂをＤｏｗｎ位置へ駆動する。さらにシャッタ１４をチャージする。ステップＳ１２２では、撮影光学系１２ａにおける撮影レンズの絞りを制御する。ステップＳ１２３では画質モードに応じて撮像素子２７から読み出した画素数を変換する。ステップＳ１２４では画質モードに応じて画像データの圧縮を行う。
【０１６８】
ステップＳ１２５では作成された画像データを記録メディア１２７へ保管する。
【０１６９】
上記した第１実施形態によれば、選択された画質に応じた適切な塵埃除去動作を行うことができる電子撮像装置が提供される。
【０１７０】
【発明の効果】
本発明によれば、選択された画質に応じた適切な塵埃除去動作を行うことができる電子撮像装置が提供される。
【図面の簡単な説明】
【図１】本発明をデジタルカメラに適用した場合の実施の形態の概略的な構成を示す一部切り欠き斜視図である。
【図２】本発明の一実施形態のカメラのシステム構成を示すブロック図である。
【図３】本実施形態のカメラ１における撮像ユニット１５の一部を取り出して示す図であって、当該撮像ユニットを分解して示す要部分解斜視図である。
【図４】本実施形態のカメラ１における撮像ユニット１５の一部を取り出して示す図であって、当該撮像ユニット組み立てた状態の一部を切断して示す斜視図である。
【図５】本実施形態のカメラ１における撮像ユニット１５の一部を取り出して示す図であって、図４の切断面に沿う断面図である。
【図６】本カメラ１における撮像ユニット１５のうち防塵フィルタ２１及びこれに一体に設けられる圧電素子２２のみを取り出して示す正面図である。
【図７】図６の圧電素子２２に対して駆動電圧を印加した際の防塵フィルタ２１及び圧電素子２２の状態変化を示し、図６のＡ−Ａ線に沿う断面図である。
【図８】図６の圧電素子２２に対して駆動電圧を印加した際の防塵フィルタ２１及び圧電素子２２の状態変化を示し、図６のＢ−Ｂ線に沿う断面図である。
【図９】図２で説明した本電子撮像装置１における防塵フィルタ駆動回路１４０の構成を概略的に示す回路図である。
【図１０】図１１の防塵フィルタ駆動回路１４０における各構成部材から出力される各信号形態を示すタイムチャートである。
【図１１】本発明の第１実施形態に係るカメラシステムにおけるＢｕｃｏｍ１５０の動作を説明するためのフローチャートである。
【図１２】画質モード選択ＳＷが操作されるごとに画質モード情報が変化するようすを示す図である。
【符号の説明】
１…カメラ、１１…カメラ本体、１１ａ…撮影光学系装着部、１２…レンズユニット、１２ａ…撮影光学系、１３…ファインダ装置、１３ａ…ペンタプリズム、１３ｂ…反射鏡、１３ｃ…接眼レンズ、１４…シャッタ、１５…撮像ユニット、１６…主回路基板、１７…レリーズボタン、２１…防塵フィルタ、２７…撮像素子、２８…画像処理コントローラ、１４０…防塵フィルタ駆動回路、１５０…ボディ制御用マイクロコンピュータ（Ｂｕｃｏｍ）、２０５…レンズ制御用マイクロコンピュータ（Ｌｕｃｏｍ）。
【図１】
2004264691.tif 000003
【図２】
2004264691.tif 000004
【図３】
2004264691.tif 000005
【図４】
2004264691.tif 000006
【図５】
2004264691.tif 000007
【図６】
2004264691.tif 000008
【図７】
2004264691.tif 000009
【図８】
2004264691.tif 000010
【図９】
2004264691.tif 000011
【図１０】
2004264691.tif 000012
【図１１】
2004264691.tif 000013
【図１２】
2004264691.tif 000014